(57)【要約】  【課題】膜材を張設しつつ膜材を取付ける際の作業性を良好にする。  【解決手段】水平方向に伸ばして天井Ｔに取付けられる設置レール材１０と、設置レール材１０の雌ねじ部１０ｄに螺合される押し上げねじ３０によって設置レール材１０に取付けられるファスナ材２０と、膜材５０の端部が固定されると共にファスナ材２０を介して設置レール材１０に固定される膜レール材６０と、を有している。膜レール材６０は、その傾斜折り返し片部６０ｃをファスナ材２０の傾斜片部２０ｂに引っかけた状態で、押し上げねじ３０によってファスナ材２０を押し上げることにより、傾斜折り返し片部６０ｃが傾斜片部２０ｂに密着する方向に膜レール材６０が傾動されて、最終的に膜材５０が張設された状態で設置レール材１０に対する固定が行われる。【選択図】  図１
2015117476.tif 000002
【特許請求の範囲】
【請求項１】
天井に膜材を張設してなる膜天井構造であって、
天井に取付けられ、水平方向に伸びると共に雌ねじ部が形成された取付板部を有する設置レール材と、
前記雌ねじ部に螺合される押し上げねじによって、前記設置レール材に取付けられるファスナ材と、
膜材の端部が固定されると共に、前記ファスナ材を介して前記設置レール材に固定される膜レール材と、
を備え、
前記ファスナ材は、上方に向けて開口されて、前記押し上げねじの軸部が挿通される挿通孔を有する底壁部と、前記底壁部の左右端部から外側に傾斜して上方に伸びる左右一対の傾斜片部とを有し、
前記膜レール材は、前記ファスナ材を介して前記設置レール材に固定された状態で、上下方向に伸びると共に前記膜材の端部が取付けられる縦壁部と、前記縦壁部の上端部から内側に折り返されると共に前記ファスナ材の前記傾斜片部に密着するように傾斜された傾斜折り返し片部とを有し、
前記膜レール材は、前記傾斜折り返し片部を前記ファスナ材の前記傾斜片部に引っかけた状態で、前記押し上げねじの軸部を前記ファスナ材の前記挿通孔を通して前記設置レール材の前記雌ねじ部に螺合させて前記ファスナ材を押し上げることにより、前記傾斜折り返し片部が前記傾斜片部に密着する方向に前記膜レール材が傾動されて、最終的に前記傾斜折り返し片部が前記傾斜片部に密着した状態でかつ前記膜レール材の前記縦壁部と前記傾斜折り返し片部との境界部位が前記設置レール材の前記取付板部の下面に当接した状態で、前記ファスナ材を介しての前記設置レール材に対する固定が行われる、
ことを特徴とする膜天井構造。
【請求項２】
請求項１において、
前記膜レール材のうち前記縦壁部と前記傾斜折り返し片部との境界部の上面が平坦な水平部とされて、前記水平部が前記設置レール材の前記取付板部の下面に密着した状態で前記設置レール材に固定されている、ことを特徴とする膜天井構造。
【請求項３】
請求項１または請求項２において、
前記押し上げねじの軸部が貫通される貫通孔を有すると共に、前記設置レール材と前記ファスナ材との間に介在される合成樹脂製のガイド部材をさらに有し、
前記ガイド部材は、前記ファスナ材の前記傾斜片部に沿うように外側に傾斜して上方に伸びる左右一対の傾斜面を有し、
前記ファスナ材を介して前記膜レール材を前記設置レール材に固定した状態で、前記膜レール材の前記傾斜折り返し片部が、前記ファスナ材の前記傾斜片部と前記ガイド部材の前記傾斜面とにより密着して挟持された状態とされる、
ことを特徴とする膜天井構造。
【請求項４】
請求項３において、
前記ガイド部材は、固定前の状態において、下方に向けて伸びると共に前記膜レール材の前記傾斜折り返し片部を支承する薄い下部係合片部を有し、
固定状態とするために前記押し上げねじを締め付けることにより、前記下部係合片部が潰れ変形される、
ことを特徴とする膜天井構造。
【請求項５】
請求項４において、
前記下部係合片部の下部に、前記ファスナ材に整合するように嵌合する先端部が形成され、
固定前の状態において、前記下部係合片部における前記先端部の上に、前記膜レール材の前記傾斜折り返し部が支承される、
ことを特徴とする膜天井構造。
【請求項６】
請求項１ないし請求項５のいずれか１項において、
前記膜レール材における前記縦壁部の下端から、前記傾斜折り返し片部側に向けてかつ前記設置レール材に対する固定状態において水平に伸びる目地片部が形成され、
前記膜材の端部は、前記目地片部の下面に沿った状態で前記縦壁部に固定されている、
ことを特徴とする膜天井構造。
【請求項７】
請求項１ないし請求項６のいずれか１項において、
前記設置レール材が、天井から吊り下げ支持され、
隣り合う前記設置レール材同士を連結して、前記隣り合う設置レール材の間隔を規制する位置規制部材がさらに設けられている、ことを特徴とする膜天井構造。
【請求項８】
請求項１ないし請求項７のいずれか１項において、
前記膜材の前記膜レール材への固定が、押さえレール材と左右一対の挟持片部を有する弾性材からなるクリップとにより行われており、
前記設置レール材の前記縦壁部には、前記左右一対の挟持片部のうち一方の挟持片部が挿通される挿通孔を有し、
前記膜材の端部を前記膜レール材の前記縦壁部と前記押さえレール材とで挟持した状態で、前記挿通孔を通過された前記一方の挟持片部と他方の挟持片部とで前記押さえレール材と前記縦壁部とを弾性的に押圧、挟持することにより、前記膜材の端部が前記縦壁部に固定されている、
ことを特徴とする膜天井構造。
【請求項９】
請求項１ないし請求項８のいずれか１項において、
天井の端部に相当する部分に位置される前記膜レール材を固定する端部固定具を有し、
前記端部固定具は、天井あるいは天井付近の側壁に固定される本体レール材と、前記本体レール材に対して上方からねじ固定される上側レール材とにより構成され、
前記本体レール材は、前記ファスナ材の前記傾斜片部に相当する１つの固定用傾斜片部を有し、
前記上側レール材は、前記本体レール材への取付け部位となる水平部と、該水平部の端部から下方に略直角に伸びる下向き側壁部とを有し、
前記設置レール材の傾斜折り返し片部を前記固定用傾斜片部に引っかけた状態で、ねじ部材によって前記上側レール材の前記水平部を前記本体レール材に対して固定した際に、前記膜レール材の前記縦壁部と前記傾斜折り返し片部との境界部を前記水平部が上方から押圧して前記傾斜折り返し片部を前記固定用傾斜片部に密着させた状態で、かつ前記下向き側壁部が前記固定用傾斜片部と協働して前記膜レール材の前記縦壁部を挟んで前記膜レール材が傾動するのを規制している、
ことを特徴とする膜天井構造。
【発明の詳細な説明】
【技術分野】
【０００１】
本発明は、膜天井構造に関するものである。
【背景技術】
【０００２】
天井構造として、地震等の際の天井材の落下防止等のために、天井材として化粧プラスターボードや吸音板等の重いボード材を用いることなく、軽量な膜材（シート材）を用いることが普及しつつある。
【０００３】
天井材として膜材を用いた場合、その垂れ下がりを防止する必要があり、このため、膜材を張設することのできる取付け構造が必要とされる。特許文献１には、膜材を張設できる取付け構造として、次のようなものが開示されている。すなわち、（１）天井に固定される水平部分とその左右端部から下方に向けて直角に折曲された係止用突出部が形成された天井レールと、（２）上方に開口された断面コ字状とされて、上方へ伸びる左右一対の側片部を有する押し上げレールと、（３）天井取付板部と先端板部とが屈曲部で互いに鈍角をなすように形成されて、膜材の端部が固定された膜支持部材と、（４）天井レールに螺合されて、上記押し上げレールを天井レールに向けて押し上げるための押し上げねじと、を有するものが開示されている。
【０００４】
上記特許文献１のものでは、その取付けに際しては、押し上げレールの側片部に対して膜支持部材の天井取付け板部を引っかけた状態としつつ、膜支持部材の屈曲部を天井レールの係止用突出部にあてがった状態で、押し上げねじにより押し上げレールを押し上げることにより、膜支持部材が、その屈曲部を支点として揺動されて、この揺動が膜材を張設する動きとして作用するようになっている。
【先行技術文献】
【特許文献】
【０００５】
【特許文献１】特開２０１３−８７４８０号公報
【発明の概要】
【発明が解決しようとする課題】
【０００６】
しかしながら、特許文献１に記載のものでは、膜支持部材の屈曲部を天井レールの係止用突出部にあてがった状態を手作業でもって維持しつつ、押し上げねじを回転操作して押し上げレールを押し上げる作業を行う必要があり、作業性が極めて悪いものとなる。
【０００７】
本発明は以上のような事情を勘案してなされたもので、その目的は、膜材を張設しつつ膜材を取付ける際の作業性を良好にした膜天井構造を提供することにある。
【課題を解決するための手段】
【０００８】
前記目的を達成するため、本発明にあっては次のような第１の解決手法を採択してある。すなわち、特許請求の範囲における請求項１に記載のように、
天井に膜材を張設してなる膜天井構造であって、
天井に取付けられ、水平方向に伸びると共に雌ねじ部が形成された取付板部を有する設置レール材と、
前記雌ねじ部に螺合される押し上げねじによって、前記設置レール材に取付けられるファスナ材と、
膜材の端部が固定されると共に、前記ファスナ材を介して前記設置レール材に固定される膜レール材と、
を備え、
前記ファスナ材は、上方に向けて開口されて、前記押し上げねじの軸部が挿通される挿通孔を有する底壁部と、前記底壁部の左右端部から外側に傾斜して上方に伸びる左右一対の傾斜片部とを有し、
前記膜レール材は、前記ファスナ材を介して前記設置レール材に固定された状態で、上下方向に伸びると共に前記膜材の端部が取付けられる縦壁部と、前記縦壁部の上端部から内側に折り返されると共に前記ファスナ材の前記傾斜片部に密着するように傾斜された傾斜折り返し片部とを有し、
前記膜レール材は、前記傾斜折り返し片部を前記ファスナ材の前記傾斜片部に引っかけた状態で、前記押し上げねじの軸部を前記ファスナ材の前記挿通孔を通して前記設置レール材の前記雌ねじ部に螺合させて前記ファスナ材を押し上げることにより、前記傾斜折り返し片部が前記傾斜片部に密着する方向に前記膜レール材が傾動されて、最終的に前記傾斜折り返し片部が前記傾斜片部に密着した状態でかつ前記膜レール材の前記縦壁部と前記傾斜折り返し片部との境界部位が前記設置レール材の前記取付板部の下面に当接した状態で、前記ファスナ材を介しての前記設置レール材に対する固定が行われる、
ようにしてある。上記解決手法によれば、押し上げねじによって支承されたファスナ材の傾斜片部に、膜レール材の傾斜折り返し片部を引っかけた取付け準備状態から、押し上げねじを回転操作してファスナ材を押し上げることにより、ファスナ材の傾斜片部が膜レール材の傾斜折り返し片部を押圧することになる。押し上げねじの回転操作をすすめていくと、やがて膜レール材は、その縦壁部と傾斜折り返し片部との境界部位を設置レール材の下面に圧接された状態で、かつ傾斜折り返し片部がファスナ材の傾斜片部に密着された固定状態となる。そして、この固定状態では、上記取付け準備状態に比して、膜材が張設された状態となる。このように、膜材を引張しつつその取付けを行うのに、押し上げねじを回転操作するだけでよく、取付けの作業性が極めて良好となる。
【０００９】
上記解決手法を前提とした好ましい態様は、特許請求の範囲における請求項２以下に記載のとおりである。すなわち、
前記膜レール材のうち前記縦壁部と前記傾斜折り返し片部との境界部の上面が平坦な水平部とされて、前記水平部が前記設置レール材の前記取付板部の下面に密着した状態で前記設置レール材に固定されている、ようにしてある（請求項２対応）。この場合、膜レール材の水平とされた境界部を設置レール材の下面に圧接しておくことにより、膜レール材の固定状態をより安定して保持する上で好ましいものとなる。
【００１０】
前記押し上げねじの軸部が貫通される貫通孔を有すると共に、前記設置レール材と前記ファスナ材との間に介在される合成樹脂製のガイド部材をさらに有し、
前記ガイド部材は、前記ファスナ材の前記傾斜片部に沿うように外側に傾斜して上方に伸びる左右一対の傾斜面を有し、
前記ファスナ材を介して前記膜レール材を前記設置レール材に固定した状態で、前記膜レール材の前記傾斜折り返し片部が、前記ファスナ材の前記傾斜片部と前記ガイド部材の前記傾斜面とにより密着して挟持された状態とされる、
ようにしてある（請求項３対応）。この場合、ファスナ材を押し上げていく過程において、ガイド部材の傾斜面を利用して、膜レール材の傾斜折り返し片部をファスナ材の傾斜片部に沿う方向へとスムーズに導くことができる。
【００１１】
前記ガイド部材は、固定前の状態において、下方に向けて伸びると共に前記膜レール材の前記傾斜折り返し片部を支承する薄い下部係合片部を有し、
固定状態とするために前記押し上げねじを締め付けることにより、前記下部係合片部が潰れ変形される、
ようにしてある（請求項４対応）。この場合、取付け準備段階において、膜レール材（の傾斜折り返し片部）をファスナ材に対して好ましい高さ位置に保持させておく上で好ましいものとなる。
【００１２】
前記下部係合片部の下部に、前記ファスナ材に整合するように嵌合する先端部が形成され、
固定前の状態において、前記下部係合片部における前記先端部の上に、前記膜レール材の前記傾斜折り返し部が支承される、
ようにしてある（請求項５対応）。この場合、ファスナ材とガイド部材とのがたつきを防止して、ファスナ材とガイド部材と膜レール材の傾斜折り返し片部との位置関係を適正なものに保持しておく上で好ましいものとなる。
【００１３】
前記膜レール材における前記縦壁部の下端から、前記傾斜折り返し片部側に向けてかつ前記設置レール材に対する固定状態において水平に伸びる目地片部が形成され、
前記膜材の端部は、前記目地片部の下面に沿った状態で前記縦壁部に固定されている、
ようにしてある（請求項６対応）。この場合、固定状態において、膜材によって取付け構造部分を遮蔽して、この取付け構造部分が下方から目視できないようにする上で好ましいものとなる。
【００１４】
前記設置レール材が、天井から吊り下げ支持され、
隣り合う前記設置レール材同士を連結して、前記隣り合う設置レール材の間隔を規制する位置規制部材がさらに設けられている、ようにしてある（請求項７対応）。この場合、隣り合う設置レール材同士の間隔を精度よく決定して、各膜材を所望の張り具合に設定する上で好ましいものとなる。
【００１５】
前記膜材の前記膜レール材への固定が、押さえレール材と左右一対の挟持片部を有する弾性材からなるクリップとにより行われており、
前記設置レール材の前記縦壁部には、前記左右一対の挟持片部のうち一方の挟持片部が挿通される挿通孔を有し、
前記膜材の端部を前記膜レール材の前記縦壁部と前記押さえレール材とで挟持した状態で、前記挿通孔を通過された前記一方の挟持片部と他方の挟持片部とで前記押さえレール材と前記縦壁部とを弾性的に押圧、挟持することにより、前記膜材の端部が前記縦壁部に固定されている、
ようにしてある（請求項８対応）。この場合、クリップを利用して、膜レール材に対する膜材の端部の固定を容易に行うことができる。
【００１６】
天井の端部に相当する部分に位置される前記膜レール材を固定する端部固定具を有し、
前記端部固定具は、天井あるいは天井付近の側壁に固定される本体レール材と、前記本体レール材に対して上方からねじ固定される上側レール材とにより構成され、
前記本体レール材は、前記ファスナ材の前記傾斜片部に相当する１つの固定用傾斜片部を有し、
前記上側レール材は、前記本体レール材への取付け部位となる水平部と、該水平部の端部から下方に略直角に伸びる下向き側壁部とを有し、
前記設置レール材の傾斜折り返し片部を前記固定用傾斜片部に引っかけた状態で、ねじ部材によって前記上側レール材の前記水平部を前記本体レール材に対して固定した際に、前記膜レール材の前記縦壁部と前記傾斜折り返し片部との境界部を前記水平部が上方から押圧して前記傾斜折り返し片部を前記固定用傾斜片部に密着させた状態で、かつ前記下向き側壁部が前記固定用傾斜片部と協働して前記膜レール材の前記縦壁部を挟んで前記膜レール材が傾動するのを規制している、
ようにしてある（請求項９対応）。この場合、膜レール材を、天井の端部用とそれ以外の部分用とで共通化することができる。
【発明の効果】
【００１７】
本発明によれば、膜材を張設しつつ膜材を取付ける際の作業性として良好なものを提供できる。
【図面の簡単な説明】
【００１８】
【図１】本発明の第１の実施形態を示す側面図。
【図２】図１の要部拡大図。
【図３】図１の分解斜視図。
【図４】天井下地材に対して設置レール材を取付ける前の状態を示す斜視図。
【図５】天井下地材に対して設置レール材を取付けた状態を示す斜視図。
【図６】端部固定具の一例を示す一部断面側面図。
【図７】膜レール材の取付け過程を示す側面図。
【図８】膜レール材の取付け過程を示す側面図。
【図９】本発明の第２の実施形態を示すもので、図１に対応した側面図。
【図１０】図９の分解斜視図。
【図１１】本発明の第３の実施形態を示すもので、図１に対応した側面図。
【図１２】膜材を膜レール材に固定するために用いるクリップの一例を示す斜視図。
【図１３】図１２に示すクリップの側面図。
【図１４】押さえレール材とクリップとを用いて膜材を膜レール材に固定する第１の過程を示す側面断面図。
【図１５】図１４の第１の過程から固定作業が進行した第２の過程を示す側面断面図。
【図１６】図１５の第２の過程から固定作業が進行した第３の過程を示す側面断面図。
【図１７】図１６の第３の過程から固定作業が完了した状態を示す側面断面図。
【発明を実施するための形態】
【００１９】
図１〜図３において、１は、天井Ｔから吊り下げ固定された吊り金具としての吊りボルトである。この吊りボルト１に対して、ナット２、３により、天井下地材４が固定されている。天井下地材４に対して、設置レール材１０が保持され、この設置レール材１０に対して、ファスナ材２０、押し上げねじ３０、ガイド部材４０を利用して、膜材５０の端部が固定された膜レール材６０が取付け、固定される。設置レール材１０、膜材５０、膜レール材６０は、それぞれ、図１紙面直角方向に長く伸びている。勿論、膜材５０は、図１左右方向にも長く伸びており、実施形態では、膜材５０が、図１左右方向に張設された状態で（引っ張り状態で）、設置レール材１０に対して取付け、固定されるようになっている。
【００２０】
前記天井下地材４は、全体的に下方に向けて開口されたコ字状に形成されて、吊りボルト１への取付け部位となる頂壁部４ａと、この頂壁部４ａの左右各端から下方へ伸びる左右一対の側片部４ｂとを有する。左右一対の側片部４ｂには、切り起こしにより、側片部４ｂの内側に位置するようにして、上方に向けて突出する係止片部４ｃが形成されている。また、係止片４ｃの若干上方位置において、切り込み線を入れることにより折曲可能な押さえ片部４ｄが形成されている。
【００２１】
天井下地材４には、設置レール材１０が保持されている。設置レール材１０は、全体的に上方に向けて開口されたコ字状に形成されて、水平に伸びる取付け板部としての底壁部１０ａと、底壁部１０ａの左右各端から上方へ伸びる左右一対の側片部１０ｂを有する。左右一対の側片部１０ｂの上縁部は、外側に向けて１８０度折り返されて、係止折り返し部１０ｃが形成されている。上記底壁部１０ａには、押し上げねじ３０が螺合される雌ねじ部１０ｄが形成されている。雌ねじ部１０ｄは、実施形態では押し上げねじ３０との結合強度確保のためにナット部材を例えばかしめや溶接により固定することにより形成してあるが、底壁部１０ａに直接ねじ孔を形成してもよい。
【００２２】
図４、図５に示すように、設置レール材１０の係止折り返し部１０ｃを、天井下地材４の係止片部４ｃに係合させることにより、設置レール材１０が天井下地材４に対して保持される。そして、上記係止折り返し部１０ｃと係止片部４ｃとの係合後に、天井下地材４の押さえ片部４ｄを例えば内側に折曲することにより、設置レール材１０の上方への移動が規制されて、上記係合関係が確実に維持される。なお、天井下地材４に対する設置レール材１０の長手方向（図１紙面直角方向）位置の調整が、係止折り返し部１０ｃと係止片部４ｃとの係合位置をスライド式に相対変位させることにより行うことができる。
【００２３】
ファスナ材２０は、上方が開口された形状に形成されて、底壁部２０ａと、底壁部２０ａの左右各端から上方へ伸びる左右一対の傾斜片部２０ｂとを有する。傾斜片部２０ｂは、外側に向けて傾斜されて、左右一対の傾斜片部２０ｂの間隔が、上方に向かうにつれて徐々に広がる（大きくなる）ようにされている。上記底壁部２０ａには、押し上げねじ３０の軸部が挿通される挿通孔２０ｃが形成されている（図３参照）。
【００２４】
ガイド部材４０は、合成樹脂により形成されて、中実な本体部４０ａと、本体部４０ａの長手方向（図１紙面直角方向）の各端部より下方に伸びる薄い前後一対の下側係合片部４０ｂとを有する。本体部４０ａには、押し上げねじ３０の軸部が挿通される挿通孔４０ｃが形成されている（図３参照）。下側係合片部４０ｂは、本体部４０ａよりも細幅な中間部４０ｄと、中間部４０ｄよりも太幅な先端部４０ｅとを有する。先端部４０ｅの形状は、ファスナ材２０の内側形状（内側の空間形状）に合致する形状とされている。すなわち、先端部４０ｅは、その上端が太幅とされているが、下方に向かうにつれて徐々に細幅となる台形形状とされている。
【００２５】
ガイド部材４０における本体部４０ａの左右側面は、それぞれ傾斜面４０ｆとされている。この左右一対の傾斜面４０ｆ同士の間隔は、上方に向かうにつれて徐々に大きくなるようにされている。すなわち、傾斜面４０ｆの傾斜角度は、ファスナ材２０の傾斜片部２０ｂに対応した角度とされて、図１、図２に示す固定状態で、傾斜片部２０ｂと平行となるようにかつ傾斜片部２０ｂに密着するように設定されている。
【００２６】
膜レール材６０は、図１に示す固定状態（取付け状態）において、上下方向に伸びる縦壁部６０ａと、縦壁部６０ａの上端から直角に折曲された短い水平部６０ｂと、水平部６０ｂの先端からさらに下方に向けて折曲された傾斜折り返し片部６０ｃと、縦壁部６０ａの下端部から傾斜折り返し片部６０ｃ側に向けて直角に折曲された目地片部６０ｄとを有する。上記水平部６０ｂは、縦壁部６０ａと傾斜折り返し片部６０ｂとの境界部となるものである。図１、図２の固定状態において、傾斜折り返し片部６０ｃの傾斜角度は、ファスナ材２０の傾斜片部２０ｂと平行となるようにかつ傾斜片部２０ｂに密着するように設定されている。また、傾斜折り返し片部６０ｃの長さは、ファスナ材２０の傾斜片部２０ｂの長さとほぼ同じ長さとされている。
【００２７】
シート状の膜材５０は、全体的に矩形状とされて、既知の適宜の材質のものを用いることができるが、特に不燃材で構成するのが好ましい。図１、図２では、隣り合う膜材同士の取付け部位が示されており、後述するように、図１中左方の膜材５０は図中右方へ引張された状態で、また図１中右方の膜材５０は図中左方へ引張された状態で取付けられる。膜材５０の端部は、膜レール材６０の目地片部６０ｄの下面に沿って配設された後、目地片部６０ｄの上面を覆うようにして縦壁部６０ａの下部に延設されて、縦壁部６０ａに対してねじ５１を利用して固定されている。
【００２８】
図６は、天井の端部における膜材５０の取付け例を示すものであり、端部固定具７０を用いた固定となっている。なお、この図５の取付け態様では、膜材５０に対する引張作用を行わないようになっている。
【００２９】
上記端部固定具７０は、天井Ｔあるいはその付近の側壁に対してねじ７１によって固定された本体レール材７２と、上側レール材７３とを有する。本体レール材７２は、ボルト７４を固定保持しており、ボルト７４の軸部（ねじ部）が上方に向けて突出されている。本体レール材７２は、固定用傾斜片部７２ａを有し、この固定用傾斜片部７２ａは、上方に向けて伸びて、前記ファスナ材２０の傾斜片部２０ｂに対応した傾斜を有している。本体レール材７２は、さらに、固定用傾斜片部７２ａの基端部に対向するようにして、膜レール材６０の傾斜折り返し片部６０ｃの先端部が挿入される隙間を形成する縦壁部７２ｂを有している。
【００３０】
上側レール材７３は、水平に伸びる水平部７３ａと、水平部７３ａの端部から直角に折曲されて下方に伸びる側壁部７３ｂとを有する。側壁部７３ｂに、前記ボルト７４の軸部が挿通する挿通孔７３ｃが形成されている。
【００３１】
膜レール材６０の傾斜折り返し片部６０ｃを固定用傾斜片部７２ａに引っかけた後、その上から上側レール材７３が配置される。その際、上側レール材７３の挿通孔７３ｃに、ボルト７４の軸部が挿通される。そして、上側レール材７３の上から、ボルト７４の軸部にナット７５を螺合させて、その締付を行うことにより、図６の固定状態とされる。この固定状態では、固定用傾斜片部７２ａに対して、膜レール材６０の傾斜折り返し片部６０ｃが密着され、しかも傾斜折り返し片部６０ｃの先端部が固定用傾斜片部７２ａと縦壁部７２ｂとで挟持された状態とされる。また、膜レール材６０の縦壁部６０ａがまっすぐ上下方向に伸びた状態とされる。膜レール材６０の縦壁部６０ａは、本体レール材７２の固定用傾斜片部７２ａと上側レール材７３の側壁部７３ｂとで挾まれた位置関係とされて、膜レール材６０の縦壁部６０ａがまっすぐ上下方向に伸びた固定状態が確実に維持される。このような端部固定具７０による固定は、図１、図２に示すような取付けが行われる前にあらかじめ行われる。
【００３２】
次に、ファスナ材２０等を用いた図１、図２に示す固定状態とするための手順について、図７、図８をも参照しつつ説明する。まず、押し上げねじ３０の軸部を、ファスナ材２とガイド部材４０とがあらかじめ挿通された状態で、設置レール材１０の雌ねじ部１０ｄに螺合させる。この状態が、取付け準備状態となる。
【００３３】
上記取付け準備状態の後、図７に示すように、膜材５０の端部が固定された膜レール材６０の傾斜折り返し片部６０ｃを、ファスナ材２０の傾斜片部２０ｂに引っかけけた状態とする。このとき、傾斜折り返し片部６０ｃの先端が、ガイド部材４０の先端部６０ｅの上面に当接された状態とされる。また、膜レール材６０の縦壁部６０ａは、膜材５０の重量を受けて、まっすぐ上下方向に伸びる位置からかなり傾斜した姿勢状態とされて、膜材５０を引張する作用は十分に発揮されていない状態となる。
【００３４】
この後、図８に示すように、押し上げねじ４０を回転操作して、雌ねじ部１０ｄに対する螺合を進めていく。この螺合進行に伴って、膜レール材６０の傾斜折り返し片部６０ｃは、ガイド部材４０の傾斜面４０ｆに沿いつつ徐々に上方へと移動される。これと共に、膜レール材６０の縦壁部６０ａが、徐々にまっすぐ上下方向に伸びる姿勢状態へと姿勢変化され、この姿勢変化が、膜材５０を引張する動きとなる。また、螺合を進行させるのに伴って、ガイド部材４０における下側係合片部４０ｂのうち細幅な中間部４０ｄが撓み変形されていく。
【００３５】
押し上げねじ４０の雌ねじ部１０ｄに対する螺合をさらに進めていくと、やがて、図１図２の固定状態となる（取付け完了状態）。この固定状態では、ガイド部材４０の下側係合片部４０ｂは完全に潰れ変形された状態となる。また、膜レール材６０の水平部６０ｂが、設置レール材１０の底壁部１０ａ（の下面）に密着状態で圧接される。さらに、膜レール材６０の傾斜折り返し片部６０ｃが、ファスナ材２０の傾斜片部２０ｂおよびガイド部材４０の傾斜面４０ｆに密着して圧接される状態とされる。この固定状態では、膜レール材６０の縦壁部６０ａが上下方向まっすぐに伸びた姿勢状態とされて、膜材５０が十分に引張された状態となる。
【００３６】
このように、押し上げねじ３０により押し上げられるファスナ材２０の傾斜片部２０ｂが、膜レール材６０の傾斜折り返し片部６０ｃを押圧して、膜材５０が引張される方向に膜レール材６０を揺動させるカム作用をなすことになる。そして、図１、図２に示す固定状態では、傾斜片部２０ｂと傾斜折り返し片部６０ｃとが密着（圧接）した状態とされ、しかもガイド部材４０の傾斜面４０ｆも密着されているので、しっかりとした固定状態が確保されることになる。勿論、押し上げねじ３０を回転操作する過程において、膜レール材６０を例えば設置レール材１０等に対して別途位置決めする等の作業が不要であり、取付け作業性が極めて良好である。
【００３７】
前述した取付け準備段階の後は、押し上げねじ４０を回転操作するだけで最終的な固定状態が得られるので、取付け作業性が極めて良好となる。なお、膜材５０は、膜レール材６０の目地片部６０ｄの下面に沿って縦壁部６０ａに固定されており、かつ隣り合う膜材５０同士（隣り合う目地片部６０ｄ同士）が接近しているので、下方からは取付け構造が殆ど目視されることがない。
【００３８】
ここで、膜レール材６０に対する膜材５０の固定は、図６に例示するように、押さえレール材５２をも利用して固定を行うのが、膜材５０の長い範囲に渡ってしっかりとした固定を行う上で好ましいものとなる。すなわち、膜レール材６０の縦壁部６０ａに膜材５０の取付端部を重ねた状態で、膜材５０の取付端部の上から押さえレール材５２をあてがう。そして、ねじ５１の軸部を縦壁部６０ａおよび膜材５０の取付端部を貫通させて、押さえレール材５２に形成されたねじ部に螺合させることにより、縦壁部６０ａと押さえレール材５２とによって膜材５０の取付端部が強く挟持されることになる。なお、押さえレール材５２にねじ部を別途形成することなく、ねじ５１に螺合されるナットを別途設けて、ねじ５１とナットとによって、縦壁部６０ａと膜材５０の取付端部と押さえレール材５２とを強く挟持するようにしてもよい。
【００３９】
次に、設置レール材１０を吊りボルト１を利用して天井に保持する場合、隣り合う設置レール材１０同士を連結してその位置関係を規制するために、図３に示すように、隣り合うな位置規制部材６を用いるのが好ましい（位置規制部材６は図１では図示略）。図３に示す位置規制部材６は、チャネル材を加工することにより、水平な頂壁部６ａと、頂壁部６ａの左右端部から下方に直角に折曲された前後一対のその側壁部６ｂを有している。このような位置規制部材６の端部において、各側壁部６ｂには、下方に開口された切欠形状の係合凹部６ｃが形成されている。この係合凹部６ｃが、設置レール材１０の側片部１０ｂおよび係止折り返し片部１０ｃの上縁部に嵌合、係止される。また、位置規制部材６の端面には、下方に向け直角に折曲された先端壁部６ｄが形成されて、隣り合う位置規制部材６の各先端壁部６ｄ同士が当接される。このような位置規制部材６を設けることにより、隣り合う設置レール材１０の位置関係が所望の寸法関係でもって確保されることになり、このことは、各膜材５０の引張度合いを等しくする上でも好ましいものとなる。
【００４０】
図９、図１０は、本発明の第２の実施形態を示すもので、前記実施形態と同一構成要素には同一符号を付してその重複した説明は省略する。本実施形態では、天井下地材４Ｂ（図１の４対応）と位置規制部材６Ｂ（図２の６に対応）との形状等が、前記実施形態と相違している。また、天井下地材４Ｂと設置レール材１０との間に位置規制部材６Ｂを介在させた状態の３枚重ねで、ボルト３１、ナット３２によって固定が行われている。なお、図１０で、上記ボルト３１の軸部が挿通される挿通孔が符号４ｇ、６ｇで示されている。
【００４１】
図１１は、本発明の第３の実施形態を示すものである。本実施形態では、設置レール材１０を、ねじ７によって直接天井に固定するようにしてある。設置レール材１０の天井に対する位置決めが精度よく行われるため、位置規制部材６、あるいは６Ｂを別途用いないものとなっている。
【００４２】
図１２〜図１７は、本発明の第４の実施形態を示すもので、膜レール材６０に対する膜材５０の取付けを容易に行えるようにした取付け例が示される。本実施形態では、膜材５０の取付けのために、押さえレール材５２の他に、図１２、図１３に示すような板ばね材等の弾性部材を利用して構成されたクリップ８０を用いるようにしてある。クリップ８０は、互いに近接して伸びる一対の挟持片部８０ａ、８０ｂと、その端部同士を連結する短い連結部（屈曲部）８０ｃとを有する。一方の挟持片部８０ａは、その先端部付近に、他方の挟持片部８０ｂに向けて略円弧状に湾曲して突出する突出部８０ｄが形成されている。他方の挟持片部８０ｂは、ほぼ直線状態とされて、外力の作用しない自由状態では、突出部８０ｄが他方の挟持片部８０ｂに当接あるいは近接されている。外力を作用させることにより、突出部８０ｄを他方の挟持片部８ｂから離間させることができる（弾性変形）。また、この外力を解放すると、弾性復帰力によって、突出部８０ｄが再び他方の挟持片部８０ｂに当接あるいは近接した状態へと復帰される。
【００４３】
膜レール材６０の縦壁部６０ａには、図１４以下に示すように、その長手方向に間隔をあけて複数の挿通孔６０ｆが形成されている。この挿通孔６０ｆは、クリップ８０における一方の挟持片部８０ａが挿通可能な大きさとされている。
【００４４】
次に、クリップ８０と押さえレール材５２とを用いて、膜レール材６０に膜材５０の端部を固定する手順について説明する。まず、図１４に示すように、膜材５０の取付け端部５０ａを、目地片部６０ｄの下面に沿わせた後、目地片部６０ｄの先端部で折り返して目地片部６０ｄの上面に沿わせ、その後縦壁部６０ａに沿って立ち上げた状態とする。
【００４５】
この後、図１５に示すように、押さえレール材５２を、取付端部５０ａのうち縦壁部６０ａに沿う部分にあてがう。この後、図１６に示すように、クリップ８０の一方の挟持片部８０ａを、縦壁部６０ａに形成された挿通孔６０ｆを通して、押さえレール材５２の背面側へと位置させる。この状態から、クリップ８０を十分下方に押し下げて、一方の挟持片部８０ａに形成された突出部８０ｄが押さえレール材５２の背面に位置した状態とする。これにより、取付け完了とされ、この取付け完了状態では、膜材５０の取付端部５０ａが、クリップ８０の弾性復帰力を受けた状態で押さえレール材５２と縦壁部６０ａとで挟持されることになる。
【００４６】
以上実施形態について説明したが、本発明は、実施形態に限定されるものではなく、特許請求の範囲の記載された範囲において適宜の変更が可能であり、例えば次のような場合をも含むものである。ガイド部材４０は、下側係合片部４０ｂを有しないものであってもよく、この場合、ガイド部材４０をあらかじめ設置レール材１０の下面に固定しておくのが好ましい。また、ガイド部材４０を有しないものであってもよい。
【００４７】
膜レール材６０の水平部６０ｂを有しないものであってもよく、例えば縦壁部６０ａと傾斜折り返し片部６０ｃとの境界部位が、円弧状に湾曲された形状であってもよく、この境界部位の上面を平坦面（水平面）として、固定状態において設置レール材１０に対する密着性を十分に確保するようのが好ましい。膜レール材６０の縦壁部６０ａは、固定状態においてまっすぐ上下方向に伸びる形状に限らず、途中で湾曲あるいは折曲されている等適宜の形状とすることができ、特に、傾斜折り返し片部６０ｃの上端と目地片部６０ｄの先端とを結ぶように固定状態で傾斜した直線状に形成することもできる。要は、縦壁部６０ａは、ファスナ材２０の傾斜片部２０ｂとの間に傾斜折り返し片部６０ｃが挿入されるようにしつつ、膜材５０の固定部位と傾斜折り返し片部６０ｃの上端とを連結するような形状であればよい。勿論、本発明の目的は、明記されたものに限らず、実質的に好ましいあるいは利点として表現されたものを提供することをも暗黙的に含むものであり、例えば、部品としてのファスナ材２０、ガイド部材４０、膜レール材６０の１つあるいは任意の複数の組み合わせのセット体を提供することをも含むものである。
【産業上の利用可能性】
【００４８】
本発明は、膜天井構造を構築する際の作業性を良好なものとすることができ、膜天井構造を広く普及させる上で好ましいものとなる。
【符号の説明】
【００４９】
Ｔ：天井
１：吊りボルト
４：天井下地材
４Ｂ：天井下地材（図９、図１０）
６：位置規制部材
６Ｂ：位置規制部材（図９、図１０）
１０：設置レール材
１０ａ：底壁部（取付け板部）
１０ｄ：雌ねじ部
２０：ファスナ材
２０ａ：底壁部
２０ｂ：傾斜片部
２０ｃ：挿通孔
３０：押し上げねじ
４０：ガイド部材
４０ａ：本体部
４０ｂ：下側係合片部
４０ｃ：挿通孔
４０ｄ：中間部
４０ｅ：先端部
４０ｆ：傾斜面
５０：膜材
５０ａ：取付端部
５１：ねじ
５２：押さえレール材
６０：膜レール材
６０ａ：縦壁部
６０ｂ：水平部（境界部）
６０ｃ：傾斜折り返し片部
６０ｄ：目地片部
６０ｆ：挿通孔（クリップ用）
７０：端部固定具
７２：本体レール材
７２ａ：固定用傾斜片部（傾斜片部２０ｂ対応）
７３：上側レール材
７３ａ：水平部
７３ｂ：側壁部
８０：クリップ
８０ａ：一方の挟持片部
８０ｂ：他方の挟持片部
８０ｃ：連結部
８０ｄ：突出部
【図１】
2015117476.tif 000003
【図２】
2015117476.tif 000004
【図３】
2015117476.tif 000005
【図４】
2015117476.tif 000006
【図５】
2015117476.tif 000007
【図６】
2015117476.tif 000008
【図７】
2015117476.tif 000009
【図８】
2015117476.tif 000010
【図９】
2015117476.tif 000011
【図１０】
2015117476.tif 000012
【図１１】
2015117476.tif 000013
【図１２】
2015117476.tif 000014
【図１３】
2015117476.tif 000015
【図１４】
2015117476.tif 000016
【図１５】
2015117476.tif 000017
【図１６】
2015117476.tif 000018
【図１７】
2015117476.tif 000019